(57)【要約】      （修正有）【課題】家庭で簡便に水道水のカルキ等の不純物をフィルターで除去し、水道水を電気分解し、電解水素水（還元水）を生成して飲用する水素水ボトルを提供する。【解決手段】水素水ボトルは、内底部に略水平に配置される陽極網板と陰極網板を有する電気分解板５および該電気分解板５に電力を供給する受電ユニット６を備えた円筒体の容器からなるボトル本体１と、該ボトル本体１の開口部を閉塞し、飲み口及び注水口を備えた蓋本体４とから構成される。前記ボトル本体１は、ガラス製やプラスチック製の飲用水を収容可能なコップ状容器である。前記ボトル本体１の内底部に略水平に陽極網板及び陰極網板を有する電気分解板５を配置し、該電気分解板５の下部に前記電気分解板５に電力を供給する受電ユニット６を配置する。【選択図】図２
0003198375.tif 000002
【実用新案登録請求の範囲】
【請求項１】
内底部に略水平に配置される陽極網板と陰極網板を有する電気分解板および該電気分解板に電力を供給する受電ユニットを備えた円筒体の容器からなるボトル本体と、該ボトル本体の開口部を閉塞し、飲み口及び注水口を備えた蓋本体とから構成されることを特徴とする水素水ボトル。
【請求項２】
前記蓋本体の内栓部を嵌合させて前記ボトル本体の開口部を閉塞し、前記内栓部の天板の一方に飲み口を形成し、他方に前記飲み口より大きい注水口を形成し、前記注水口の下部に短円筒体を垂設し、該短円筒体の内部にフィルターを設け、前記短円筒体の下端中央に中央開口を設けたキャップで閉鎖することを特徴とする請求項１記載の水素水ボトル。
【請求項３】
前記内栓部の天板の一方には、飲用のための飲み口に飲み口蓋を形成し、前記内栓部の短円筒体の位置する天板の他方には、注水のための注水口に注水口蓋を形成することを特徴とする請求項１記載の水素水ボトル。
【考案の詳細な説明】
【技術分野】
【０００１】
本考案は、家庭で簡便に水道水を電気分解し、電解水素水（還元水）を生成して飲用する水素水ボトルに関するものである。
【背景技術】
【０００２】
従来、自然水、水道水や地下水の浄水過程を経て、直接電気分解をして、フィルターで水系感染菌を含む各種微生物を除去し、また原水に溶解された塩素イオン、総トリハロメタンなどの生成を除去する、機能性を有する水素水製造装置が知られている（特許文献１を参照）。
【０００３】
この公知技術は、原水を保管する冷温水貯留容器と、該冷温水貯留容器の外部又は内部上部に設置されて、原水に含有された浮遊性物質を除去及び取り出すためのスクリーン、繊維状活性炭フィルター、精密フィルター及び限外フィルターと、前記冷温水貯留容器の内底部に設置されて、一対の電極で構成された電気分解器と、前記一対の電極に交流電流を交互に供給する電源供給器と、前記電気分解器によって水素が発生した水素水内の残留塩素、次亜塩素酸イオン及び総トリハロメタン等を取り除くための還元性ブロックフィルターと、を含む機能性を有する水素水製造装置である。
【０００４】
この水素水製造装置は、利用者が飲用水を容器から直接飲用できるボトル構造となっていないため、家庭での使い勝手が悪いなどの不具合が生じていた。
そのため、家庭で簡便に水道水のカルキ等の不純物をフィルターで除去し、直接飲用できる水素水ボトルの開発が望まれていた。
【先行技術文献】
【特許文献】
【０００５】
【特許文献１】特表２０１４−５２６９６８号公報
【考案の概要】
【考案が解決しようとする課題】
【０００６】
本考案は、家庭で簡便に水道水のカルキ等の不純物をフィルターで除去し、水道水を電気分解し、電解水素水（還元水）を生成して飲用する水素水ボトルを提供することを目的とする。
【課題を解決するための手段】
【０００７】
本考案の水素水ボトルは、内底部に略水平に配置される陽極網板と陰極網板を有する電気分解板および該電気分解板に電力を供給する受電ユニットを備えた円筒体の容器からなるボトル本体と、該ボトル本体の開口部を閉塞し、飲み口及び注水口を備えた蓋本体とから構成される。
前記蓋本体の内栓部を嵌合させて前記ボトル本体の開口部を閉塞し、前記内栓部の天板の一方に飲み口を形成し、他方に前記飲み口より大きい注水口を形成し、前記注水口の下部に短円筒体を垂設し、該短円筒体の内部にフィルターを設け、前記短円筒体の下端中央に中央開口を設けたキャップで閉鎖する。
前記内栓部の天板の一方には、飲用のための飲み口に飲み口蓋を形成し、前記内栓部の短円筒体の位置する天板の他方には、注水のための注水口に注水口蓋を形成する。
【考案の効果】
【０００８】
本考案の水素水ボトルは、内底部に略水平に配置される陽極網板と陰極網板を有する電気分解板および該電気分解板に電力を供給する受電ユニットを備えた円筒体の容器からなるボトル本体と、該ボトル本体の開口部を閉塞し、飲み口及び注水口を備えた蓋本体とから構成されるため、家庭で簡便に水道水を電気分解し、電解水素水（還元水）を生成して飲用することができる。
本考案の水素水ボトルは、前記蓋本体の内栓部を嵌合させて前記ボトル本体の開口部を閉塞し、前記内栓部の天板の一方に飲み口を形成し、他方に前記飲み口より大きい注水口を形成し、前記注水口の下部に短円筒体を垂設し、該短円筒体の内部にフィルターを設け、前記短円筒体の下端中央に中央開口を設けたキャップで閉鎖するため、水道水のカルキ等の不純物をフィルターで除去し、電解水素水（還元水）を生成して飲用することができる。
本考案の水素水ボトルは、前記内栓部の天板の一方には、飲用のための飲み口に飲み口蓋を形成し、前記内栓部の短円筒体の位置する天板の他方には、注水のための注水口に注水口蓋を形成するため、家庭で簡便に水道水を電気分解し、電解水素水（還元水）を生成し、安全に飲用することが可能となる。
【図面の簡単な説明】
【０００９】
【図１】本考案の水素水ボトルの斜視図である。
【図２】本考案の水素水ボトルの縦断面図である。
【図３】図２矢印Ｂ部の拡大断面図である。
【考案を実施するための形態】
【００１０】
本考案の水素水ボトルの一実施例を添付図面に基づいて、以下に説明する。
図１の斜視図に示すように、本考案の水素水ボトルは、内底部に略水平に配置される陽極網板と陰極網板を有する電気分解板（図示省略）および該電気分解板に電力を供給する受電ユニット（図示省略）を備えた円筒体の容器からなるボトル本体１と、該ボトル本体１の開口部を閉塞し、飲み口２及び注水口３を備えた蓋本体４とから構成される。
前記ボトル本体１は、ガラス製やプラスチック製の飲用水を収容可能なコップ状容器である。図２の縦断面図に示すように、前記ボトル本体１の内底部に略水平に陽極網板及び陰極網板を有する電気分解板５を配置し、該電気分解板５の下部に前記電気分解板５に電力を供給する受電ユニット６を配置する。
【００１１】
前記ボトル本体１には、図３の図２矢印Ｂ部の拡大断面図に示すように、前記蓋本体４の内栓部７を嵌合させて前記蓋本体４により前記ボトル本体１を閉塞する。
前記蓋本体４には、フィルターユニット８を設け、前記フィルターユニット８は、前記内栓部７の天板９の一方に片寄って短円筒体１０を垂設し、該短円筒体１０の内部にフィルター１１を設け、前記短円筒体１０の下端中央に中央開口１２を設けたキャップ１３で閉鎖する。
前記内栓部７の天板９の他方に飲用のための飲み口２を形成し、前記短円筒体１０の位置する天板９には、注水のための注水口３を形成する。
前記蓋本体４には、前記飲み口２及び注水口３の開口部を塞ぐ飲み口蓋１４及び注水口蓋１５を設ける。
前記飲み口蓋１４及び注水口蓋１５は、天板９に軸受支持フランジ（図示省略）を設け、該軸受支持フランジ（図示省略）に挿通した軸棒１６にそれぞれ取り付けられる。なお、前記飲み口蓋１４及び注水口蓋１５は、無くても良く、特に必要としない。
【００１２】
次に、本考案の水素水ボトルの操作動作を添付図面に基づいて、以下に説明する。
図１の斜視図に示すように、自然水、水道水や地下水が入っていないボトル本体１の蓋本体４の飲み口蓋１４及び注水口蓋１５は、塞がれている。
注水のために、前記注水口蓋１５を開けて注水口３を露出させ、自然水、水道水や地下水を前記注水口３から前記ボトル本体１へ注水すると、フィルター１１によりカルキ分が取り除かれて前記ボトル本体１へ充填される。
注水が終わったら、前記注水口蓋１５を閉じ、前記ボトル本体１に電力を供給する受電ユニット６により電気分解板５に電気を供給し、電気分解を行い、電解水素水（還元水）を生成する。
【００１３】
電解水素水（還元水）の生成が終わったら、前記飲み口蓋１４を開けて、飲み口２を露出させ、通常の水素水ボトルからの飲用を行う。その際、前記飲み口２及び注水口３の開口部は対向しているので飲用には不都合がない。
【符号の説明】
【００１４】
１  ボトル本体
２  飲み口
３  注水口
４  蓋本体
５  電気分解板
６  受電ユニット
７  内栓部
８  フィルターユニット
９  天板
１０  短円筒体
１１  フィルター
１２  中央開口
１３  キャップ
１４  飲み口蓋
１５  注水口蓋
１６  軸棒
【図１】
0003198375.tif 000003
【図２】
0003198375.tif 000004
【図３】
0003198375.tif 000005
【手続補正書】
【提出日】平成27年4月23日(2015.4.23)
【手続補正１】
【補正対象書類名】実用新案登録請求の範囲
【補正対象項目名】全文
【補正方法】変更
【補正の内容】
【実用新案登録請求の範囲】
【請求項１】
内底部に略水平に配置される陽極網板と陰極網板を有する電気分解板および該電気分解板に電力を供給する受電ユニットを備えた円筒体の容器からなるボトル本体と、該ボトル本体の開口部を閉塞し、飲み口及び注水口を備えた蓋本体とから構成されることを特徴とする水素水ボトル。
【請求項２】
前記蓋本体の内栓部を嵌合させて前記ボトル本体の開口部を閉塞し、前記内栓部の天板の一方に飲み口を形成し、他方に前記飲み口より大きい注水口を形成し、前記注水口の下部に短円筒体を垂設し、該短円筒体の内部にフィルターを設け、前記短円筒体の下端中央に中央開口を設けたキャップで閉鎖することを特徴とする請求項１記載の水素水ボトル。
【請求項３】
前記内栓部の天板の一方には、飲用のための飲み口に飲み口蓋を形成し、前記内栓部の短円筒体の位置する天板の他方には、注水のための注水口に注水口蓋を形成することを特徴とする請求項２記載の水素水ボトル。